(57)【要約】【課題】プログラムタイマを使用したタイマ制御の利点を活かす。【解決手段】光源およびミラーを有する映像表示装置の電源を切断する時刻としてあらかじめ設定された切断時刻から、次に電源を投入する時刻としてあらかじめ設定された投入時刻までのインターバル時間と、電源を切断した後にミラーをリフレッシュするためのリフレッシュ時間とを比較し、インターバル時間がリフレッシュ時間よりも短い場合、現在のミラーの連続使用時間と、あらかじめ設定された連続使用時間キャパシティとを比較する比較部１１０と、現在のミラーの連続使用時間がミラーの連続使用時間キャパシティの所定の割合を超える場合、投入時刻を変更し、切断時刻に電源を切断した後にミラーをリフレッシュし、変更した投入時刻に電源を投入する制御部１２０とを有する。【選択図】図１
2019113798.tif 000002
【特許請求の範囲】
【請求項１】
光源およびミラーを有する映像表示装置の電源を切断する時刻としてあらかじめ設定された切断時刻から、次に前記電源を投入する時刻としてあらかじめ設定された投入時刻までのインターバル時間と、前記電源を切断した後に前記ミラーをリフレッシュするためのリフレッシュ時間とを比較し、前記インターバル時間が前記リフレッシュ時間よりも短い場合、現在の前記ミラーの連続使用時間と、あらかじめ設定された前記ミラーの連続使用時間キャパシティとを比較する比較部と、
現在の前記ミラーの連続使用時間が前記連続使用時間キャパシティの所定の割合を超える場合、前記投入時刻を変更し、前記切断時刻に前記電源を切断した後に前記ミラーをリフレッシュし、前記変更した投入時刻に前記電源を投入する制御部とを有する制御装置。
【請求項２】
請求項１に記載の制御装置において、
前記制御部は、現在の前記ミラーの連続使用時間が前記連続使用時間キャパシティの所定の割合以下である場合、前記切断時刻に前記電源を切断した後に前記ミラーをリフレッシュせずに、前記投入時刻に前記電源を投入する制御装置。
【請求項３】
請求項１または請求項２に記載の制御装置において、
前記制御部は、前記インターバル時間が前記リフレッシュ時間以上である場合、前記切断時刻に前記電源を切断した後に前記ミラーをリフレッシュし、前記投入時刻に前記電源を投入する制御装置。
【請求項４】
請求項１から３のいずれか１項に記載の制御装置において、
前記制御部は、現在の前記ミラーの連続使用時間が前記連続使用時間キャパシティの所定の割合を超える場合、前記投入時刻およびその後の前記電源を切断する時刻および前記電源を投入する時刻を変更する制御装置。
【請求項５】
請求項１から４のいずれか１項に記載の制御装置において、
前記制御部は、現在の前記ミラーの連続使用時間が前記連続使用時間キャパシティの所定の割合を超える場合、前記投入時刻を前記リフレッシュ時間遅延させる制御装置。
【請求項６】
請求項１から５のいずれか１項に記載の制御装置において、
前記ミラーは、ＤＭＤ（Ｄｉｇｉｔａｌ  Ｍｉｒｒｏｒ  Ｄｅｖｉｃｅ）である制御装置。
【請求項７】
請求項１から６のいずれか１項に記載の制御装置と、
光源と前記光源を用いて映像を外部へ投写するためのミラーとを有する映像表示装置とを有するプロジェクタ。
【請求項８】
光源およびミラーを有する映像表示装置の電源を切断する時刻としてあらかじめ設定された切断時刻から、次に前記電源を投入する時刻としてあらかじめ設定された投入時刻までのインターバル時間と、前記電源を切断した後に前記ミラーをリフレッシュするためのリフレッシュ時間とを比較する処理と、
前記インターバル時間が前記リフレッシュ時間よりも短い場合、現在の前記ミラーの連続使用時間と、あらかじめ設定された前記ミラーの連続使用時間キャパシティとを比較する処理と、
現在の前記ミラーの連続使用時間が前記連続使用時間キャパシティの所定の割合を超える場合、前記投入時刻を変更する処理と、
前記切断時刻に前記電源を切断する処理と、
前記切断時刻に前記電源を切断した後に前記ミラーをリフレッシュする処理と、
前記変更した投入時刻に前記電源を投入する処理とを行う電源投入スケジュール制御方法。
【請求項９】
コンピュータに、
光源およびミラーを有する映像表示装置の電源を切断する時刻としてあらかじめ設定された切断時刻から、次に前記電源を投入する時刻としてあらかじめ設定された投入時刻までのインターバル時間と、前記電源を切断した後に前記ミラーをリフレッシュするためのリフレッシュ時間とを比較する手順と、
前記インターバル時間が前記リフレッシュ時間よりも短い場合、現在の前記ミラーの連続使用時間と、あらかじめ設定された前記ミラーの連続使用時間キャパシティとを比較する手順と、
現在の前記ミラーの連続使用時間が前記連続使用時間キャパシティの所定の割合を超える場合、前記投入時刻を変更する手順と、
前記切断時刻に前記電源を切断する手順と、
前記切断時刻に前記電源を切断した後に前記ミラーをリフレッシュする手順と、
前記変更した投入時刻に前記電源を投入する手順とを実行させるためのプログラム。
【発明の詳細な説明】
【技術分野】
【０００１】
本発明は、制御装置、プロジェクタ、電源投入スケジュール制御方法およびプログラムに関する。
【背景技術】
【０００２】
近年、プログラムタイマを使用したプロジェクタが存在する。このようなプロジェクタは、プロジェクタの電源投入時刻および電源切断時刻がプログラムタイム（ＰＴ：Ｐｒｏｇｒａｍ  Ｔｉｍｅ）テーブルとしてあらかじめ設定されている。このようなプログラムタイマを使用したプロジェクタは、プロジェクタの電源投入および電源切断を、ＰＴテーブルに設定されたスケジュールにしたがってプロジェクタ自身で行う。つまり、プロジェクタの機体に搭載されたプログラムタイマが示す時刻がスケジュールに設定した電源投入の時刻になったとき、プロジェクタは自身で電源投入を行う。また、電源切断の時刻がスケジュールに設定されていれば、その時刻になったときプロジェクタは自身で電源切断を行う。
【０００３】
また、プロジェクタ自身をファン冷却するために、映像の再生位置の終端に近づくと、冷却性能を上げるプロジェクタが考えられている（例えば、特許文献１参照。）。
【先行技術文献】
【特許文献】
【０００４】
【特許文献１】特開２００９−１９８７６６号公報
【発明の概要】
【発明が解決しようとする課題】
【０００５】
上記のようなプログラムタイマを使用したプロジェクタにおいては、電源切断後、次に電源投入を設定している時刻に関係なく、冷却ファンの作動やＤＭＤ（Ｄｉｇｉｔａｌ  Ｍｉｒｒｏｒ  Ｄｅｖｉｃｅ）のリフレッシュ動作が行われる。そのため、冷却ファンの作動やＤＭＤのリフレッシュ動作が完了する前の時刻に電源投入の時刻をＲＴテーブルに設定してしまうと、リフレッシュ動作が優先され、その時刻における電源投入コマンドが無効とされ、プロジェクタが起動しないおそれがある。また、電源切断から再度の電源投入までのインターバルを一定時間隔てていなければ、電源投入に成功してもプロジェクタ機体内の冷却動作に時間がかかってしまう。そのため、プロジェクタから映像が投写されるタイミングが利用者の期待よりも遅れてしまうという問題点がある。特許文献１に記載されたプロジェクタについても、同様の問題点がある。その結果、プログラムタイマを使用したタイマ制御の利点を活かせないという問題点がある。
【０００６】
本発明の目的は、上述した課題を解決する制御装置、プロジェクタ、電源投入スケジュール制御方法およびプログラムを提供することである。
【課題を解決するための手段】
【０００７】
本発明の制御装置は、
光源およびミラーを有する映像表示装置の電源を切断する時刻としてあらかじめ設定された切断時刻から、次に前記電源を投入する時刻としてあらかじめ設定された投入時刻までのインターバル時間と、前記電源を切断した後に前記ミラーをリフレッシュするためのリフレッシュ時間とを比較し、前記インターバル時間が前記リフレッシュ時間よりも短い場合、現在の前記ミラーの連続使用時間と、あらかじめ設定された前記ミラーの連続使用時間キャパシティとを比較する比較部と、
現在の前記ミラーの連続使用時間が前記連続使用時間キャパシティの所定の割合を超える場合、前記投入時刻を変更し、前記切断時刻に前記電源を切断した後に前記ミラーをリフレッシュし、前記変更した投入時刻に前記電源を投入する制御部とを有する。
また、本発明のプロジェクタは、
光源およびミラーを有する映像表示装置の電源を切断する時刻としてあらかじめ設定された切断時刻から、次に前記電源を投入する時刻としてあらかじめ設定された投入時刻までのインターバル時間と、前記電源を切断した後に前記ミラーをリフレッシュするためのリフレッシュ時間とを比較し、前記インターバル時間が前記リフレッシュ時間よりも短い場合、現在の前記ミラーの連続使用時間と、あらかじめ設定された前記ミラーの連続使用時間キャパシティとを比較する比較部と、
現在の前記ミラーの連続使用時間が前記連続使用時間キャパシティの所定の割合を超える場合、前記投入時刻を変更し、前記切断時刻に前記電源を切断した後に前記ミラーをリフレッシュし、前記変更した投入時刻に前記電源を投入する制御部とを有する制御装置と、
光源と前記光源を用いて映像を外部へ投写するためのミラーとを有する映像表示装置とを有する。
また、本発明の電源投入スケジュール制御方法は、
光源およびミラーを有する映像表示装置の電源を切断する時刻としてあらかじめ設定された切断時刻から、次に前記電源を投入する時刻としてあらかじめ設定された投入時刻までのインターバル時間と、前記電源を切断した後に前記ミラーをリフレッシュするためのリフレッシュ時間とを比較する処理と、
前記インターバル時間が前記リフレッシュ時間よりも短い場合、現在の前記ミラーの連続使用時間と、あらかじめ設定された前記ミラーの連続使用時間キャパシティとを比較する処理と、
現在の前記ミラーの連続使用時間が前記連続使用時間キャパシティの所定の割合を超える場合、前記投入時刻を変更する処理と、
前記切断時刻に前記電源を切断する処理と、
前記切断時刻に前記電源を切断した後に前記ミラーをリフレッシュする処理と、
前記変更した投入時刻に前記電源を投入する処理とを行う。
また、本発明のプログラムは、
コンピュータに実行させるためのプログラムであって、
光源およびミラーを有する映像表示装置の電源を切断する時刻としてあらかじめ設定された切断時刻から、次に前記電源を投入する時刻としてあらかじめ設定された投入時刻までのインターバル時間と、前記電源を切断した後に前記ミラーをリフレッシュするためのリフレッシュ時間とを比較する手順と、
前記インターバル時間が前記リフレッシュ時間よりも短い場合、現在の前記ミラーの連続使用時間と、あらかじめ設定された前記ミラーの連続使用時間キャパシティとを比較する手順と、
現在の前記ミラーの連続使用時間が前記連続使用時間キャパシティの所定の割合を超える場合、前記投入時刻を変更する手順と、
前記切断時刻に前記電源を切断する手順と、
前記切断時刻に前記電源を切断した後に前記ミラーをリフレッシュする手順と、
前記変更した投入時刻に前記電源を投入する手順とを実行させる。
【発明の効果】
【０００８】
以上説明したように、本発明においては、プログラムタイマを使用したタイマ制御の利点を活かすことができる。
【図面の簡単な説明】
【０００９】
【図１】本発明の制御装置の第１の実施の形態を示す図である。
【図２】図１に示した制御装置における電源投入スケジュール制御方法を説明するためのフローチャートである。
【図３】本発明の制御装置の第２の実施の形態を示す図である。
【図４】図３に示したプロジェクタの内部構成の一例を示す図である。
【図５】図４に示したテーブルに設定されたＰＴテーブルの一例を示す図である。
【図６】図３に示した形態における電源投入スケジュール制御方法を説明するためのフローチャートである。
【発明を実施するための形態】
【００１０】
本発明の特徴は、利用者がプロジェクタの電源オン／オフを、タイマ制御を用いて自動的に実施する場合、さらにタイマ制御におけるＰＴテーブルの中で、電源オフから電源オンまでの時間が極端に少ない値に設定されたとき（即時リスタートと称する）、冷却時間および冷却方法を変化させる制御を行う。また、その際、プロジェクタにＤＭＤが搭載されており、ミラーのリフレッシュが必要であるため即時リスタートが行えない場合、リフレッシュの回数を可能な限り減らし、ＤＭＤの使用時間に応じてリフレッシュのタイミングを選定する制御を行う。
【００１１】
以下に、本発明の実施の形態について図面を参照して説明する。
（第１の実施の形態）
【００１２】
図１は、本発明の制御装置の第１の実施の形態を示す図である。本形態における制御装置１００は図１に示すように、比較部１１０と、制御部１２０とを有する。図１には、本形態における制御装置１００が具備する構成要素のうち、本実施の形態に関わる主要な構成要素の一例を示す。
比較部１１０は、光源およびミラーを有する映像表示装置の電源を切断する時刻としてあらかじめ設定された切断時刻から、次に電源を投入する時刻としてあらかじめ設定された投入時刻までのインターバル時間と、電源を切断した後にミラーをリフレッシュするためのリフレッシュ時間とを比較する。また、比較部１１０は、インターバル時間がリフレッシュ時間よりも短い場合、現在のミラーの連続使用時間と、あらかじめ設定されたミラーの連続使用時間キャパシティとを比較する。
制御部１２０は、比較部１１０における比較の結果、現在のミラーの連続使用時間が連続使用時間キャパシティの所定の割合を超える場合、投入時刻を変更し、切断時刻に電源を切断した後にミラーをリフレッシュし、変更した投入時刻に電源を投入する。
【００１３】
以下に、図１に示した制御装置１００における電源投入スケジュール制御方法について説明する。図２は、図１に示した制御装置１００における電源投入スケジュール制御方法を説明するためのフローチャートである。
まず、比較部１１０は、光源およびミラーを有する映像表示装置の電源を切断する時刻としてあらかじめ設定された切断時刻から、次に電源を投入する時刻としてあらかじめ設定された投入時刻までのインターバル時間と、電源を切断した後にミラーをリフレッシュするためのリフレッシュ時間とを比較する（ステップＳ１）。比較の結果、インターバル時間がリフレッシュ時間よりも短い場合、比較部１１０は、現在のミラーの連続使用時間と、あらかじめ設定されたミラーの連続使用時間キャパシティとを比較する（ステップＳ２）。比較の結果、現在のミラーの連続使用時間が連続使用時間キャパシティの所定の割合を超える場合、制御部１２０は、投入時刻を変更する（ステップＳ３）。続いて、制御部１２０は、切断時刻に電源を切断する（ステップＳ４）。その後、制御部１２０は、ミラーをリフレッシュする（ステップＳ５）。そして、変更した投入時刻になると、制御部１２０は、電源を投入する（ステップＳ６）。
【００１４】
このように、電源を切断する切断時刻から再投入する投入時刻までの時間とリフレッシュ時間との比較の結果およびミラーの連続使用時間と連続使用時間キャパシティとの比較の結果に基づいて、投入時刻を変更する。そのため、プログラムタイマを使用したタイマ制御の利点を活かすことができる。
（第２の実施の形態）
【００１５】
図３は、本発明の制御装置の第２の実施の形態を示す図である。本形態における制御装置は、図３に示すプロジェクタ１０１内に具備されている。ＰＣ（Ｐｅｒｓｏｎａｌ  Ｃｏｍｐｕｔｅｒ）２０１は、プロジェクタ１０１を遠隔操作するコンピュータである。ＰＣ２０１に入力されたコマンド等は、ＰＣ２０１からプロジェクタへ送信される。ＰＣ２０１は図３に示すように、通信部２１１を有する。通信部２１１は、プロジェクタ１０１に対して映像コンテンツおよび制御コマンドを送信する。通信部２１１は、後述するプロジェクタ１０１にあらかじめ記憶されているＰＴテーブルに示されたスケジュールに設定されていない動作を外部から強制的に行わせたい場合、あるいはプロジェクタ１０１のステータスの取得を行う場合、プロジェクタ１０１に対して制御コマンドを送信する。また、通信部２１１は、プロジェクタ１０１から送信されてきた、タイマ制御の設定結果や動作結果を受信する。また、通信部２１１は、無線や有線（通信プロトコルは規定しない）を介して、プロジェクタ１０１との間で通信を行う。なお、タイマ制御にしたがってプロジェクタ１０１が自動的に稼働している間は、通信部２１１は、ＰＣ２０１から制御命令を送り続ける必要はない。
【００１６】
図４は、図３に示したプロジェクタ１０１の内部構成の一例を示す図である。図３に示したプロジェクタ１０１は図４に示すように、比較部１１１と、制御部１２１と、テーブル１３１と、光源駆動部１４１と、光源１５１と、表示デバイス１６１と、映像処理部１７１と、通信部１８１とを有する。図４には、図３に示したプロジェクタ１０１が具備する構成要素のうち、本実施の形態に関わる主要な構成要素の一例を示す。また、比較部１１１、制御部１２１およびテーブル１３１で本発明の制御装置を構成する。
比較部１１１は、プロジェクタ１０１の電源を切断する時刻としてあらかじめ設定された切断時刻から、次に電源を投入する時刻としてあらかじめ設定された投入時刻までのインターバル時間と、あらかじめ設定されたリフレッシュ時間とを比較する。このリフレッシュ時間は、表示デバイス１６１が具備するＤＭＤをリフレッシュするためにかかる時間であり、あらかじめ設定されている。また、比較部１１１は、インターバル時間がリフレッシュ時間よりも短い場合、現在のＤＭＤの連続使用時間と、あらかじめ設定されたＤＭＤの連続使用時間キャパシティとを比較する。
制御部１２１は、テーブル１３１に記憶されているＰＴテーブルが示すスケジュールにしたがって、プロジェクタ１０１の電源投入／電源切断から制御までを行う。また、制御部１２１は、現在のＤＭＤの連続使用時間があらかじめ設定された連続使用時間キャパシティの所定の割合を超える場合、次の投入時刻を変更する。その後、制御部１２１は、ＤＭＤをリフレッシュし、変更した投入時刻に電源を投入する。また、制御部１２１は、インターバル時間がリフレッシュ時間以上である場合、次の切断時刻に電源を切断した後にＤＭＤをリフレッシュし、その次の投入時刻に電源を投入する。また、制御部１２１は、現在のＤＭＤの連続使用時間が連続使用時間キャパシティの所定の割合（例えば、８０％）以下である場合、次の切断時刻に電源を切断した後にＤＭＤをリフレッシュせずに、その次の投入時刻に電源を投入する。また、制御部１２１は、現在のＤＭＤの連続使用時間が連続使用時間キャパシティの所定の割合を超える場合、次の投入時刻およびその後の電源を切断する時刻および電源を投入する時刻を変更する。また、制御部１２１は、現在のＤＭＤの連続使用時間が連続使用時間キャパシティの所定の割合を超える場合、投入時刻をリフレッシュ時間分遅延させる。また、制御部１２１は、テーブル１３１に記憶されている情報を読み出し、所定の演算を行う。また、制御部１２１は、演算結果や、通信部１８１が受信した情報、映像コンテンツをテーブルに書き込む。また、制御部１２１は、通信部１８１が受信した制御コマンドにしたがって、ＰＣ２０１からの遠隔的なリモートコントロールに対応する。
テーブル１３１は、上述したＰＴテーブルを記憶する。
【００１７】
図５は、図４に示したテーブル１３１に設定されたＰＴテーブルの一例を示す図である。図４に示したテーブル１３１には図５に示すように、電源を投入（電源オン）する時刻を示す情報と、電源を切断（電源オフ）する時刻を示す情報とが示されたＰＴテーブルがあらかじめ格納されている。タイマ制御を用いた稼働時に投写する映像コンテンツは、図５に示す例のように、ＰＴテーブルのスケジュールに対応した設定が可能である。
【００１８】
光源駆動部１４１は、光源１５１の明暗調整を光量調整により行う。
光源１５１は、光を発するランプやレーザ等の光源体である。
表示デバイス１６１は、ミラーとなるＤＭＤを具備したデバイスである。表示デバイス１６１は、光源１５１からの光を用いて、映像処理部１７１から出力されてきた映像コンテンツを外部のスクリーンへ映像として投写する。
映像処理部１７１は、テーブル１３１に記憶されているＰＴテーブルのスケジュールに対応した映像コンテンツに対し、制御部１２１から出力されてきた制御内容にしたがって映像の処理を行う。映像処理部１７１は、処理した映像コンテンツを表示デバイス１６１へ出力する。
通信部１８１は、例えば、ＰＣ２０１やリモコンのような外部に接続された出力装置から映像コンテンツを受信し、制御部１２１へ出力する。また、通信部１８１は、ＰＣ２０１から無線ＬＡＮ（Ｌｏｃａｌ  Ａｒｅａ  Ｎｅｔｗｏｒｋ）や有線を介して送信されてきた制御コマンドを受信し、制御部１２１へ出力する。
【００１９】
以下に、図３に示した形態における電源投入スケジュール制御方法について説明する。図６は、図３に示した形態における電源投入スケジュール制御方法を説明するためのフローチャートである。
【００２０】
まず、制御部１２１がテーブル１３１に記憶されているＰＴテーブルが示すスケジュールにしたがって、設定された時刻に本体の電源を投入する（ステップＳ１１）。続いて、比較部１１１は、テーブル１３１に記憶されているＰＴテーブルを参照し、今回の電源の切断時刻から次回の電源の投入時刻までのインターバル時間を計算する（ステップＳ１２）。
比較部１１１は、計算したインターバル時間と、電源切断後のＤＭＤのリフレッシュ時間とを比較し、電源オフ後にＤＭＤのリフレッシュ動作が可能かどうかを判定する（ステップＳ１３）。ここで、ＤＭＤのリフレッシュ時間は、あらかじめ設定されているものであり、以下の説明においては「３分間」である場合を例に挙げて説明する。このとき、インターバル時間の長さがリフレッシュ時間の長さ以上である場合、制御部１２１は、電源オフ後にリフレッシュ動作が可能であると判定する。例えば、図５に示したＮｏ．３の電源オン後に、制御部１２１は、今回の電源オフ時刻であるＮｏ．４と次回の電源オン時刻であるＮｏ．５とを参照する。Ｎｏ．４の時刻からＮｏ．５の時刻までの時間が３分間以上設けられていないと判定された場合、制御部１２１は、その後Ｎｏ．５の設定時刻をＤＭＤのリフレッシュ時間である３分間遅延させる。
【００２１】
インターバル時間の長さがリフレッシュ時間の長さよりも短い場合、比較部１１１は、ＤＭＤの現在の連続使用時間とＤＭＤの連続使用時間キャパシティとを比較する（ステップＳ１４）。ここで、連続使用時間キャパシティの値は、あらかじめ設定されている。具体的には、比較部１１１は、ＤＭＤの現在の連続使用時間が連続使用時間キャパシティを超えそうかどうかを判定する。例えば、比較部１１１は、ＤＭＤの現在の連続使用時間が連続使用時間キャパシティの８０％（外部から設定可能な値）に達している、またはキャパシティをすでに超えているかどうかを判定する。比較部１１１が、ＤＭＤの現在の連続使用時間が使用時間キャパシティの８０％に達している、またはキャパシティをすでに超えていると判定した場合、制御部１２１は、次の電源オフからその次の電源オンまでの間のインターバル時間が１分間という即時リスタートを行わず、テーブル１３１に記憶されているＰＴテーブルが示すスケジュールを変更する（ステップＳ１５）。ここで、即時リスタートとは、電源オフから電源オンまでの時間が極端に短い時間に設定されたときに電源を投入することを示す。また、この変更方法には、例えば、以下の（１）および（２）に示す２通りの方法が考えられる。
【００２２】
（１）次回の電源オンの時刻のみを強制的に３分間遅延させた内容で、スケジュールを変更する方法。
ＤＭＤの連続使用時間キャパシティが２４時間と設定されている場合を例に挙げてこの方法（１）について説明する。図５に示したＮｏ．５からＮｏ．１０の時点までの区間は、電源オフから次の電源オンまでの間のインターバル時間が１分間という即時リスタートを繰り返している。この間、ＤＭＤをリフレッシュせずに動作させると、その連続使用時間が２４時間に達する。そのため、Ｎｏ．１１の電源オンの時刻は本来１５：０１と設定されているが、３分後の１５：０４の時刻に設定が変更される。この方法は、この動作後のスケジュールに影響が出ない特徴を持つが、そのために映像コンテンツの３分間分の映像は投写されない。
（２）スケジュール全体の設定時刻（電源投入時刻および電源切断時刻）を３分間遅延させる。
この方法（２）においては、強制的なＤＭＤのリフレッシュの後、全スケジュールを３分間遅延させる。この方法の特徴は、映像コンテンツの内容を欠けることなく投写することである。しかしながら、スケジュール上にある最後の電源オフの設定時刻が３分間遅延してしまう。
【００２３】
タイマ制御において、利用者が設定したスケジュールの遵守を優先する場合は、方法（１）を選択する。一方、映像コンテンツの内容を一部始終で欠けることなく投写することを優先する場合は、方法（２）を選択する。
【００２４】
スケジュールを変更すると、制御部１２１は、スケジュールにしたがって電源を切断する（ステップＳ１６）。続いて、制御部１２１は、ＤＭＤのリフレッシュを行う（ステップＳ１７）。
【００２５】
ステップＳ１３において、インターバル時間の長さがリフレッシュ時間の長さ以上である場合、つまり、電源オフ後にＤＭＤのリフレッシュ動作が可能であると制御部１２１が判定した場合、ステップＳ１４およびステップＳ１５の処理は行われず、ステップＳ１６の処理が行われる。また、ステップＳ１４において、比較部１１１が、ＤＭＤの現在の連続使用時間が使用時間キャパシティの８０％を超えていないと判定した場合、制御部１２１は、スケジュールにしたがって電源を切断し（ステップＳ１８）、この回の電源オフ後にＤＭＤのリフレッシュ動作を行わない。
【００２６】
このように、制御部１２１は、インターバル時間とリフレッシュ時間との大小関係および現在のＤＭＤの連続使用時間と連続使用時間キャパシティとの大小関係に応じて、電源投入時刻および電源切断時刻のスケジュールの変更およびＤＭＤのリフレッシュを行う。光源の冷却とミラーのリフレッシュとを最低限行う。そのため、光源および表示デバイスに対してかかる負荷が少ないまま、即時リスタートを行うことが可能である。また、利用者がタイマ制御によりプロジェクタの電源オン／オフを行う場合、即時リスタートが可能となることで、プロジェクタが利用者の期待する動作を行い易くなる。これにより、タイマ制御の操作性が向上する。
（その他の実施の形態）
【００２７】
プロジェクタの一度の連続使用時間を極めて長時間に設定した場合の制御方法について説明する。このケースでは、ＤＭＤのリフレッシュ制御を、連続使用キャパシティを越えた後に行わなければならない。
図６に示したフローチャートを用いて説明したステップＳ１４の処理において、制御部１２１が、ＤＭＤの現在の連続使用時間が連続使用時間キャパシティを超えそうかどうかを判定するが、すでに連続使用時間キャパシティを超えている場合は、ステップＳ１４でＹｅｓに分岐する。従って、連続使用時間キャパシティを超えそうな場合に加え、すでに超えてしまっている場合においても、これ以降のスケジュールを方法（１）あるいは方法（２）を用いて強制的に遅延させ、ミラーのリフレッシュを強制的に行う。
【００２８】
このように、プロジェクタの一度の連続使用時間を極めて長時間に設定した場合であっても、制御部１２１は、スケジュールをこれ以降の電源オフおよび電源オンの時刻について遅延させて、ミラーのリフレッシュを行う。そのため、光源と表示デバイスに対してかかる負荷が少ないまま、即時リスタートを行うことが可能となる。
【００２９】
以上、各構成要素に各機能（処理）それぞれを分担させて説明したが、この割り当ては上述したものに限定しない。また、構成要素の構成についても、上述した形態はあくまでも例であって、これに限定しない。また、各実施の形態を組み合わせたものであっても良い。
【００３０】
上述した各構成要素が行う処理は、目的に応じてそれぞれ作製された論理回路で行うようにしても良い。また、処理内容を手順として記述したコンピュータプログラム（以下、プログラムと称する）を各構成要素を具備した装置（以下、情報処理装置と称する）にて読取可能な記録媒体に記録し、この記録媒体に記録されたプログラムを情報処理装置に読み込ませ、実行するものであっても良い。情報処理装置にて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃ、ＵＳＢ（Ｕｎｉｖｅｒｓａｌ  Ｓｅｒｉａｌ  Ｂｕｓ）メモリなどの移設可能な記録媒体の他、情報処理装置に内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、情報処理装置に設けられたＣＰＵにて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００３１】
１００    制御装置
１０１    プロジェクタ
１１０，１１１    比較部
１２０，１２１    制御部
１３１    テーブル
１４１    光源駆動部
１５１    光源
１６１    表示デバイス
１７１    映像処理部
１８１，２１１    通信部
２０１    ＰＣ
【図１】
2019113798.tif 000003
【図２】
2019113798.tif 000004
【図３】
2019113798.tif 000005
【図４】
2019113798.tif 000006
【図５】
2019113798.tif 000007
【図６】
2019113798.tif 000008